(57)【要約】【課題】無線電話端末が無線基地局との第１の通信部と無線ＬＡＮとの第２の通信部の両方を保持していた場合、状況に応じて第２の通信部を起動／停止させることができる無線電話端末および無線電話基地局を提供する。【解決手段】無線電話基地局を介して通信を実行する無線電話基地局通信手段と、無線ＬＡＮ基地局を介して通信を実行する無線ＬＡＮ基地局通信手段と、無線ＬＡＮ起動停止手段と、無線ＬＡＮ着信通知可否判定手段と、端末特定情報通知手段と、無線ＬＡＮ基地局帰属情報通知手段と、無線ＬＡＮ着信通知監視手段とを有し、少なくとも無線電話基地局に帰属した状態で、無線ＬＡＮ着信通知可否判定手段が、無線電話基地局が無線ＬＡＮ着信の存在を通知する機能を有すると判定した場合に、無線ＬＡＮ起動停止手段は、無線ＬＡＮ基地局通信手段の全て、または少なくともＲＦ部の機能を停止する。【選択図】図２
2010114754.tif 000002
【特許請求の範囲】
【請求項１】
無線電話基地局と無線ＬＡＮ基地局とに接続可能な無線電話端末において、
前記無線電話基地局を介して通信を実行する無線電話基地局通信手段と、
前記無線ＬＡＮ基地局を介して通信を実行する無線ＬＡＮ基地局通信手段と、
前記無線ＬＡＮ基地局通信手段の少なくとも一部の機能を起動および停止する無線ＬＡＮ起動停止手段と、
前記無線電話基地局から無線ＬＡＮ基地局経由の無線ＬＡＮ着信の存在を通知する機能を有するか否かの情報を受信する無線ＬＡＮ着信通知可否情報受信手段と、
自無線電話端末が具備する無線電話基地局との通信に係る第１の端末特定情報と、自無線電話端末が具備する無線ＬＡＮ基地局との通信手段に係る第２の端末特定情報を自無線電話端末が帰属する無線電話基地局に通知する端末特定情報通知手段と、
自無線電話端末が無線ＬＡＮ基地局に帰属しているか否かの情報を前記無線電話基地局に通知する無線ＬＡＮ基地局帰属情報通知手段と、
前記無線電話基地局から到来する無線ＬＡＮ着信通知を監視する無線ＬＡＮ着信通知監視手段と、を有し、
無線電話基地局に帰属した状態で、前記無線ＬＡＮ着信通知可否情報受信手段が前記無線電話基地局から無線ＬＡＮ基地局経由の無線ＬＡＮ着信の存在を通知する機能を有する旨の情報を受信した場合に、前記無線ＬＡＮ起動停止手段は、前記無線ＬＡＮ基地局通信手段の少なくとも一部の機能を停止すると共に、前記無線ＬＡＮ着信通知監視手段は、前記帰属する無線電話基地局からの前記無線ＬＡＮ着信通知の到来を監視し、
前記無線ＬＡＮ着信通知監視手段が前記無線ＬＡＮ着信通知の到来を検知したならば、前記無線ＬＡＮ起動停止手段は、前記無線ＬＡＮ基地局通信手段を起動することを特徴とする無線電話端末。
【請求項２】
請求項１に記載の無線電話端末であって、
前記無線ＬＡＮ起動停止手段が、前記無線ＬＡＮ基地局通信手段の少なくとも一部の機能を停止した状態で、前記無線電話基地局通信手段が受信する自無線電話端末が帰属する無線電話基地局からの電波強度が所定の値以下となる期間が予め定められた時間を越えた場合に、前記無線ＬＡＮ起動停止手段は、前記無線ＬＡＮ基地局通信手段を起動することを特徴とする無線電話端末。
【請求項３】
無線電話端末を収容する無線電話基地局において、
前記無線電話端末と通信する無線電話端末通信手段と、
自無線電話基地局に帰属する無線電話端末から前記無線電話端末が無線ＬＡＮ基地局に帰属しているか否かの情報を受信する無線ＬＡＮ基地局帰属情報受信手段と、
前記無線電話端末が具備する無線電話基地局との通信に係る第１の端末特定情報と、前記無線電話端末が具備する無線ＬＡＮ基地局との通信手段に係る第２の端末特定情報と、前記無線ＬＡＮ基地局帰属情報受信手段が受信した前記無線電話端末が無線ＬＡＮ基地局に帰属しているか否かの情報とを対応付けて管理する端末特定情報管理手段と、
前記無線ＬＡＮ基地局に到来する無線ＬＡＮ経由着信に係る無線ＬＡＮ端末探索信号を監視する無線ＬＡＮ着信監視手段と、
前記無線ＬＡＮ着信監視手段が自無線電話基地局に帰属する無線電話端末に係る前記無線ＬＡＮ端末探索信号を検出し、かつ当該無線電話端末が前記無線ＬＡＮ基地局に帰属していない場合に、当該無線電話端末に前記無線ＬＡＮ経由着信に係る無線ＬＡＮ端末探索信号を検出したことを通知する無線ＬＡＮ着信通知手段と、
自無線電話基地局が前記無線ＬＡＮ着信通知手段を有することを自無線電話基地局に帰属する無線電話端末に通知する無線ＬＡＮ着信通知機能保有通知手段と、
を有することを特徴とする無線電話基地局。
【請求項４】
請求項３に記載の無線電話基地局であって、
前記無線ＬＡＮ着信監視手段が監視する前記無線ＬＡＮ端末探索信号は前記無線ＬＡＮ基地局宛のＡＲＰリクエストであることを特徴とする無線電話基地局。
【発明の詳細な説明】
【技術分野】
【０００１】
本発明は、無線電話端末および無線電話基地局に係り、特に省電力型の無線電話端末および無線電話端末の無線ＬＡＮ通信機能を停止させる無線電話基地局に関する。
【背景技術】
【０００２】
特許文献１には、無線電話基地局と無線ＬＡＮ(Local Aria Networ)基地局とに同時に同期確立した携帯端末と、一方の通信路が途切れたとき、他方の通信路に切替える無線通信システムを開示している。この携帯端末は、２系統の通信部を備えている。
【０００３】
通常、上述した２系統の通信部を備える携帯端末（デュアル無線電話端末）は、携帯電話網の無線電話基地局からの着信と、無線ＬＡＮの無線ＬＡＮ基地局（無線アクセスポイントまたはＡＰ）からの着信の両方を監視しなければならない。一般的な無線電話端末の待受時間は、約５００時間である。一方、無線ＬＡＮ専用の無線電話端末の待受時間は、約４００時間である。これらに対比すると、デュアル無線電話端末の待受時間は、約２７０時間と短い。
【０００４】
【特許文献１】特開２００７−３１８２４１号公報
【発明の開示】
【発明が解決しようとする課題】
【０００５】
しかし、特許文献１の無線基地局との第１の通信部または無線ＬＡＮとの第２の通信部のどちらを用いるにしても、少なくとも２系統の通信の同期をとって同時に確立可能に備えるため、無線端末の２系統の通信部を両方とも起動させておく必要がある。そのため、通信していない側の通信部の起動を維持しなければならず、待受時間が短くなっている。
【０００６】
本発明の目的は、無線電話端末が無線電話基地局との第１の通信部と無線ＬＡＮとの第２の通信部の両方を保持していた場合、状況に応じて第２の通信部を起動／停止させることができる無線電話端末および無線電話基地局を提供することである。
【課題を解決するための手段】
【０００７】
上述した課題は、無線電話基地局と無線ＬＡＮ基地局とに接続可能であり、無線電話基地局を介して通信を実行する無線電話基地局通信手段と、無線ＬＡＮ基地局を介して通信を実行する無線ＬＡＮ基地局通信手段と、無線ＬＡＮ基地局通信手段の少なくとも一部の機能を起動および停止する無線ＬＡＮ起動停止手段と、無線電話基地局から無線ＬＡＮ基地局経由の無線ＬＡＮ着信の存在を通知する機能を有するか否かの情報を受信する無線ＬＡＮ着信通知可否情報受信手段と、自無線電話端末が具備する無線電話基地局との通信に係る第１の端末特定情報と、自無線電話端末が具備する無線ＬＡＮ基地局との通信手段に係る第２の端末特定情報を自無線電話端末が帰属する無線電話基地局に通知する端末特定情報通知手段と、自無線電話端末が無線ＬＡＮ基地局に帰属しているか否かの情報を無線電話基地局に通知する無線ＬＡＮ基地局帰属情報通知手段と、無線電話基地局から到来する無線ＬＡＮ着信通知を監視する無線ＬＡＮ着信通知監視手段と、を有し、無線電話基地局に帰属した状態で、無線ＬＡＮ着信通知可否情報受信手段が無線電話基地局から無線ＬＡＮ基地局経由の無線ＬＡＮ着信の存在を通知する機能を有する旨の情報を受信した場合に、無線ＬＡＮ起動停止手段は、無線ＬＡＮ基地局通信手段の少なくとも一部の機能を停止すると共に、無線ＬＡＮ着信通知監視手段は、帰属する無線電話基地局からの無線ＬＡＮ着信通知の到来を監視し、無線ＬＡＮ着信通知監視手段が無線ＬＡＮ着信通知の到来を検知したならば、無線ＬＡＮ起動停止手段は、無線ＬＡＮ基地局通信手段を起動する無線電話端末により、達成できる。
【０００８】
また、無線電話端末を収容する無線電話基地局において、無線電話端末の無線電話基地局通信手段における第１の端末特定情報と、無線ＬＡＮ基地局通信手段における第２の端末特定情報と、無線電話端末の無線ＬＡＮ基地局への帰属情報とを対応付けて管理する端末特定情報管理手段と、無線電話端末と通信する無線電話端末通信手段と、相手端末検索パケットを監視する無線ＬＡＮ着信監視手段と、帰属する無線電話端末の無線ＬＡＮ基地局への帰属情報を受信する無線ＬＡＮ基地局帰属情報受信手段と、帰属する無線電話端末宛の相手端末検索パケットの着信により、帰属する無線電話端末に通知する無線ＬＡＮ着信通知手段と、無線ＬＡＮ着信通知手段を有することを帰属する無線電話端末に通知する無線ＬＡＮ着信通知機能保有通知手段とを有し、無線ＬＡＮ着信監視手段が相手端末検索パケットの着信を検出したとき、端末特定情報管理手段が帰属する無線電話端末宛で、かつ無線ＬＡＮ基地局への帰属していないことを検出したとき、無線ＬＡＮ着信通知手段は、宛先無線電話端末に相手端末検索パケットの着信を通知する無線電話基地局により、達成できる。
【発明の効果】
【０００９】
本発明によれば、２系統の通信部を有する無線電話端末において、無線環境に応じて無線ＬＡＮを用いた通信部を起動／停止させることができ、無線電話端末の消費電力を削減することができる。
【発明を実施するための最良の形態】
【００１０】
以下、本発明の実施の形態について、実施例を用い図面を参照しながら説明する。なお、実質同一部位には同じ参照番号を振り、説明は繰り返さない。
まず、図１を参照して、無線電話ネットワークについて説明する。ここで、図１は無線電話ネットワークの全体構成図である。図１において、無線電話ネットワーク８００は、ＩＰ電話網６００、ＩＰ網１００、無線電話網７００、ゲートウェイ装置（ＧＷ）５００、無線電話基地局２００、無線ＬＡＮ基地局３００、無線電話端末４００から構成される。
【００１１】
図１において、無線電話端末４００は、無線電話基地局２００と無線ＬＡＮ基地局３００とに帰属する。無線電話端末４００は、携帯電話等の無線電話網７００およびＩＰ電話網６００を介して、相手電話端末との通信を行なう。無線電話端末４００は、ＩＰ電話網６００からの着信を通知することが可能な無線電話基地局２００に帰属したとき、無線ＬＡＮ基地局３００と接続するための通信部の少なくとも一部を停止し、消費電力を抑える。ＩＰ電話網６００から無線電話基地局２００を介して無線ＬＡＮの着信通知を受信すると、無線電話端末４００は、無線ＬＡＮ基地局３００と接続するための通信部を起動させる。なお、図１において、無線電話端末４００と無線ＬＡＮ基地局３００が、破線で無線接続されているのは、無線電話端末４００の無線ＬＡＮ基地局通信部が停止することがあることを示している。
【００１２】
無線電話基地局２００は、ＧＷ（ゲートウェイ）５００に接続し、ＩＰ網１００と無線ＬＡＮ基地局３００を監視し、配下には無線電話端末４００を収容する。また、無線電話基地局２００は、ＩＰ電話網６００および無線ＬＡＮ基地局３００を経由して通知される無線電話端末４００宛のＡＲＰリクエストを検知すると、自らが発信するビーコン信号または着信信号に、当該情報を付加して、無線電話端末４００に無線ＬＡＮ着信の存在を無線ＬＡＮ着信情報として送信する。なお、ここでＡＲＰリクエストとは、ＩＰ電話網６００から着信を受ける場合に送信される要求であって、詳細については図３で説明する。
【００１３】
図２を参照して、無線電話端末４００を説明する。ここで、図２は無線電話端末４００の機能ブロック図である。図２において、無線電話端末４００は、無線電話基地局通信部４６０、無線ＬＡＮ基地局通信部４７０、無線ＬＡＮ着信通知監視部４１０、無線ＬＡＮ着信通知可否判定部４２０、無線ＬＡＮ起動停止部４３０、端末特定情報通知部４４０、無線ＬＡＮ基地局帰属情報通知部４５０で構成される。
【００１４】
無線電話基地局通信部４６０は、無線電話基地局２００を介して無線電話網７００と接続し、無線電話網７００との通信制御全般を行う。無線ＬＡＮ基地局通信部４７０は、無線ＬＡＮ基地局３００を介してＩＰ無線電話網６００と接続し、ＩＰ無線電話網６００との通信制御全般を行う。なお、無線電話端末４００は、無線電話基地局通信部４６０、無線ＬＡＮ基地局通信部４７０のいずれか一方または両方の通信部で通信を行う。
【００１５】
無線ＬＡＮ着信通知可否判定部４２０は、帰属した無線電話基地局２００が無線ＬＡＮ着信の存在を通知する機能を有するか否かを判定する。無線ＬＡＮ起動停止部４３０は、無線ＬＡＮ基地局通信部４７０の全て、または少なくともＲＦ部を起動または停止する（以下、無線ＬＡＮ基地局通信部４７０の起動または停止と省略する）。また、無線ＬＡＮ起動停止部４３０は、帰属する無線電話基地局２００が無線ＬＡＮ着信の存在を通知する機能を有するとき、機能する。
【００１６】
無線ＬＡＮ着信通知監視部４１０は、無線ＬＡＮ基地局通信部４７０が停止しているとき、無線電話基地局２００からの無線ＬＡＮ着信通知の到来を無線電話基地局通信部４６０を介して監視する。また、無線ＬＡＮ着信通知監視部４１０は、無線ＬＡＮ着信通知の到来を検知したとき、無線ＬＡＮ起動停止部４３０を介して、無線ＬＡＮ基地局通信部４７０を起動する。無線電話端末４００は、無線ＬＡＮ基地局３００に帰属できたとき、無線ＬＡＮ基地局３００経由で当該着信に応答する。
【００１７】
また、無線電話基地局通信部４６０は、一定時間無線電話基地局２００の電波が届かない場合、無線ＬＡＮ起動停止部４３０を介して、無線ＬＡＮ基地局通信部４７０を起動する。端末特定情報通知部４４０は、無線ＬＡＮ基地局３００を介してＩＰ電話網と通信するためのＩＰ端末特定情報（ＩＰ電話網６００におけるＩＰアドレス、ＭＡＣアドレス）と、無線電話基地局２００を介して無線電話網７００と通信するための携帯端末特定情報（無線電話網７００における電話端末４００の電話番号）を関連付けて、無線電話基地局２００に端末特定情報として通知する。ここでＩＰ端末特定情報ＩＰ電話網６００における電話端末４００の電話番号であってもよいし、携帯端末特定情報はＳＩＭカード情報であってもよい。
【００１８】
無線ＬＡＮ基地局帰属情報通知部４５０は、自無線電話端末４００が無線ＬＡＮ基地局３００に帰属しているか否かの情報を無線ＬＡＮ基地局帰属情報として無線電話基地局２００に通知する。無線電話端末４００は、無線ＬＡＮ基地局３００と接続するための無線ＬＡＮ基地局通信部４７０を停止する。これによって、無線電話端末４００は、２つの無線部について両方同時に起動しているときに比べて無線電話端末の待受時間が約２倍になる。
【００１９】
図３を参照して、無線電話基地局２００の構成を説明する。ここで、図３は無線電話基地局２００の機能ブロック図である。図３において、無線電話基地局２００は、ＶｏＩＰ網接続部２１０、無線ＬＡＮ着信監視部２３０、端末特定情報管理部２２０、無線ＬＡＮ着信通知部２５０、無線ＬＡＮ基地局帰属情報判定部２６０、無線電話端末通信部２４０、無線ＬＡＮ着信通知機能保有通知部２７０から構成される。
【００２０】
ＶｏＩＰ網接続部２１０は、ＧＷ５００を介してＩＰ網１００と接続し、ＩＰ網１００との通信制御全般を行う。無線電話端末通信部２４０は、図示しないアンテナを介して無線電話端末４００の無線電話通信を制御する。無線ＬＡＮ着信監視部２３０は、ＩＰ電話網６００から無線ＬＡＮ基地局３００へのＡＲＰ（Address Resolution Protocol）リクエストを監視する。無線ＬＡＮ着信監視部２３０は、ＡＲＰリクエストを検出すると、端末特定情報管理部２２０に渡す。なお、ここで、ＡＲＰリクエストとは、ＩＰ電話網６００から無線ＬＡＮ基地局３００に帰属する当該無線電話端末４００に対して、呼接続する前にページング（一斉呼出し）処理として事前に送信されるブロードキャストのＡＲＰリクエストを意味する。
【００２１】
端末特定情報管理部２２０は、無線電話端末４００より端末特定情報を受信すると、当該情報を端末毎に端末特定情報テーブルとして記憶・管理する。また、端末特定情報管理部２２０は、ＡＲＰリクエストを受信すると、自無線電話基地局２００に帰属する無線電話端末４００への無線ＬＡＮ着信通知か否かを判定する。自無線電話基地局２００に帰属する無線電話端末４００へのＡＲＰリクエストであった場合、端末特定情報管理部２２０は、無線ＬＡＮ着信通知部２５０にこれを渡す。
【００２２】
無線ＬＡＮ着信通知部２５０は、ＡＲＰリクエストを渡されると、新たに当該無線端末電話端末４００に対して当該無線ＬＡＮからの着信の存在を通知させるための無線ＬＡＮ着信通知を生成する。無線ＬＡＮ着信通知を生成した後、無線ＬＡＮ着信通知部２５０は、無線電話端末通信部２４０を介して、無線電話端末４００に送信する。なお、無線ＬＡＮ着信通知とは、自無線電話基地局２００が発信するビーコン信号または着信信号に、ＡＲＰリクエストの情報を付加したものである。
【００２３】
無線ＬＡＮ基地局帰属情報判定部２６０は、無線電話端末通信部２４０が無線電話端末４００から無線ＬＡＮ基地局帰属情報を検出すると、これを端末特定情報管理部２２０に送信する。端末特定情報管理部２２０は、受け取った無線ＬＡＮ基地局帰属情報から当該端末のＭＡＣアドレスまたはＩＰアドレスを抽出し、端末特定情報テーブルにレコードが存在するか否かを判定する。存在していた場合、端末特定情報管理部２２０は、帰属フラグを設定または解除する。末特定情報テーブルの詳細は、表１で説明する。また、無線ＬＡＮ着信通知機能保有通知部２７０は、無線ＬＡＮ着信通知部２５０を有することを帰属する無線電話端末４００に通知する。
【００２４】
図４を参照して、無線電話端末４００の処理動作について、フローチャートを用いて説明する。ここで、本フローは無線電話端末４００が電源を投入され、無線電話基地局通信部４６０および無線ＬＡＮ基地局通信部４７０が起動した状態から開始される。
【００２５】
まず、無線電話基地局通信部４６０は、起動すると無線電話基地局２００との帰属処理を行う（Ｓ１０１）。無線電話基地局通信部４６０は、無線電話基地局に帰属中か判定する（Ｓ１０２）。無線電話端末４００が無線電話基地局２００の通信圏内に存在し、無線電話基地局２００に帰属した場合（Ｓ１０２：ＹＥＳ）、無線電話基地局通信部４６０は、無線電話基地局２００を介して無線電話網７００からの発着信処理を含む通信処理を開始する（Ｓ１０４）。
【００２６】
電話基地局２００に帰属できない場合（Ｓ１０２：ＮＯ）、無線電話基地局通信部４６０は、一定時間待機（ウェイト）（ここでは３０秒）して（Ｓ１０３）、ステップ１０１に戻る。また、図示しないがステップ１０１からステップ１０３の処理を数回（ここでは５回）繰り返したとき、無線電話基地局通信部４６０は、無線ＬＡＮ起動停止部４３０を介して、無線ＬＡＮ基地局通信部４７０を起動する。
【００２７】
次に無線ＬＡＮ基地局通信部４７０は、無線ＬＡＮ基地局３００との帰属処理を行う（Ｓ１０５）。無線ＬＡＮ基地局通信部４７０は、無線ＬＡＮ基地局に帰属中か判定する（Ｓ１０６）。無線電話端末４００が無線ＬＡＮ基地局３００の通信圏内に存在し、無線ＬＡＮ基地局３００に帰属していた場合（Ｓ１０６：ＹＥＳ）、無線ＬＡＮ着信通知可否判定部４２０は、無線電話基地局２００から無線ＬＡＮ着信通知機能保有通知を受信しているか否かを判断する（Ｓ１０８）。
【００２８】
無線ＬＡＮ基地局３００に帰属できない場合（Ｓ１０６：ＮＯ）、一定時間待機（ウェイト）（ここでは２分）して（Ｓ１０７）、ステップ１０５に戻る。なお、ここで無線ＬＡＮ着信通知機能保有通知とは、無線電話基地局２００から定期的に送信される通知情報であり、無線ＬＡＮ着信通知可否判定部４２０は、当該無線電話基地局２００に帰属し、無線ＬＡＮ着信通知機能保有通知を受信するとこれを記憶する。
【００２９】
無線ＬＡＮ着信通知機能保有通知を受信していた場合（Ｓ１０８：ＹＥＳ）、端末特定情報通知部４４０は、端末特定情報を無線電話基地局２００に送信する（Ｓ１１１）。無線ＬＡＮ着信通知機能保有通知を受信していなかった場合（Ｓ１０８：ＮＯ）、無線ＬＡＮ着信通知可否判定部４２０は、無線ＬＡＮ基地局通信部４７０の発着信処理機能の起動を指示し、指示を受けた無線ＬＡＮ基地局通信部４７０はこれを実行する。無線ＬＡＮ基地局通信部４７０は、ＩＰ電話網６００からの発着信処理を含む通信処理を開始する（Ｓ１０９）。無線ＬＡＮ基地局通信部４７０は、無線ＬＡＮ基地局への帰属を継続するか監視する（Ｓ１１０）。無線ＬＡＮ基地局通信部４７０は、無線ＬＡＮ基地局３００との帰属を解除するとき（Ｓ１１０：ＹＥＳ）、ステップ１０７に戻る。
【００３０】
ステップ１１１で端末特定情報を送信すると、無線ＬＡＮ着信通知可否判定部４２０は、無線ＬＡＮ起動停止部４３０に無線ＬＡＮ基地局通信部４７０の起動停止を指示し、指示を受けた無線ＬＡＮ起動停止部４３０はこれを実行する（Ｓ１１２）。次に無線ＬＡＮ基地局通信部４７０を停止すると無線ＬＡＮ基地局３００との帰属が解除され、無線ＬＡＮ基地局帰属情報通知部４５０は、無線ＬＡＮ基地局帰属情報（帰属解除）を生成し、無線電話基地局２００にこれを送信する（Ｓ１１３）。なお、ここで無線ＬＡＮ基地局帰属情報（帰属解除）には、ＭＡＣアドレス、ＩＰアドレスが含まれる。
【００３１】
次に、ステップ１１３で無線ＬＡＮ基地局帰属情報（帰属解除）を送信すると、無線ＬＡＮ着信通知監視部４１０が、無線ＬＡＮ着信通知を検出したか（Ｓ１１４）、または図示しない無線電話端末４００の操作部が無線ＬＡＮ基地局３００経由の発信操作がされたか（Ｓ１１５）、または図示しない無線電話基地局通信部４６０の受信電波強度計測部が無線電話基地局２００からの受信電波が通信できない電波強度（通信圏外）になったか（Ｓ１２９）を監視する。無線ＬＡＮ着信通知監視部４１０は、無線ＬＡＮ着信通知を受信したとき、受け取った無線ＬＡＮ着信通知を解析し、自端末宛の無線ＬＡＮ着信通知であったならば（Ｓ１１４：ＹＥＳ）、無線ＬＡＮ起動停止部４３０に無線ＬＡＮ基地局通信部４７０の起動を指示し、これを受けた無線ＬＡＮ起動停止部４３０は無線ＬＡＮ基地局通信部４７０起動を開始する（Ｓ１１６）。
【００３２】
無線ＬＡＮ基地局通信部４７０は、再度無線ＬＡＮ基地局３００との帰属処理を行う（Ｓ１１７）。無線ＬＡＮ基地局通信部４７０は、無線ＬＡＮ基地局３００に帰属したか判定する（Ｓ１１８）。無線ＬＡＮ基地局３００に帰属した場合（Ｓ１１８：ＹＥＳ）、無線ＬＡＮ基地局帰属情報通知部４５０は無線電話基地局通信部４６０と連携して無線電話基地局２００に対し、自端末が無線ＬＡＮ基地局３００に帰属したことを無線ＬＡＮ基地局帰属情報（帰属設定）として送信する（Ｓ１１９）。ここで無線ＬＡＮ基地局帰属情報（帰属設定）にも、自端末のＭＡＣアドレス、ＩＰアドレスが含まれている。無線ＬＡＮ基地局３００に帰属できなかった場合（Ｓ１１８：ＮＯ）、ステップ１０７に戻る。
【００３３】
次に、無線ＬＡＮ着信通知監視部４１０は、無線電話基地局通信部４６０を監視し、ＩＰ電話網６００から送信されるＡＲＰリクエストを受信するのを一定時間待つ（Ｓ１２０）。一定時間内にＡＲＰリクエストを受信できなければ（Ｓ１２０：ＮＯ）、ＡＲＰリクエストが受信するまでに帰属処理が間に合わなかったと判断し、ステップ１１２に戻る。なお、ここでステップ１２０のＡＲＰリクエストの受信を待つ一定時間とは、ＩＰ電話網６００の通信装置がＡＲＰリクエストを送信してからＡＲＰレスポンスを受信するまでに待機可能な時間とする。
【００３４】
一定時間内にＡＲＰリクエストを受信したならば（Ｓ１２０：ＹＥＳ）、無線ＬＡＮ基地局通信部４７０は、応答としてＡＲＰレスポンスを送信する（Ｓ１２１）。無線ＬＡＮ基地局通信部４７０は、無線ＬＡＮ基地局３００、ＩＰ電話網６００を介して相手電話端末９００と発着信処理を行い、相手電話端末との呼接続を行なって（Ｓ１２２）、通話処理を行なう（Ｓ１２３）。無線ＬＡＮ基地局通信部４７０は、終話を監視し（Ｓ１２４）、終話すると、（Ｓ１２４：ＹＥＳ）一定時間（例えば２分）新たな無線ＬＡＮ基地局３００経由の着信を待つ（Ｓ１３３）。新たな着信を受信すると（Ｓ１３３：ＹＥＳ）、ステップ１２２に戻り、一定時間経過すると（Ｓ１３３：ＮＯ）、ステップ１１２に戻る。
【００３５】
次に、図示しない無線電話端末４００の操作部が無線ＬＡＮ基地局３００経由の発信操作をされると（Ｓ１１５：ＹＥＳ）、無線ＬＡＮ基地局３００との帰属処理を行なう（Ｓ１２５、Ｓ１２６）。なお、ステップ１２５〜ステップ１２８の処理は上記説明したステップ１１６〜ステップ１１９の処理と同じなので説明を省略する。
【００３６】
次に無線電話基地局２００からの受信電波強度が通信できないレベル（通信圏外）になると（Ｓ１２９：ＹＥＳ）、無線ＬＡＮ基地局通信部４７０を起動し（Ｓ１３０）、無線ＬＡＮ基地局３００との帰属処理を行う（Ｓ１３１）。さらに、無線ＬＡＮ基地局通信部４７０は、ＩＰ電話網６００からの発着信処理を含む通信処理を開始して（Ｓ１３２）、ステップ１０３に戻る。
【００３７】
図５を参照して、無線電話基地局２００の処理動作について、フローチャートを用いて説明する。ここで、本フローは、無線電話基地局２００に電源が投入され無線電話基地局の各種機能を設定した状態から開始される。
【００３８】
無線電話基地局の各種機能を設定すると、無線電話端末通信部２４０は、無線電話端末４００から帰属要求があったか（Ｓ２０１）、無線電話端末通信部２４０が無線電話網７００から自無線電話基地局宛の発着信を受けたか（Ｓ２０４）、無線ＬＡＮ着信監視部２３０がＩＰ電話網６００から帰属する無線電話端末４００宛のＡＲＰリクエストを監視し、当該ＡＲＰリクエストを受信したか（Ｓ２０６）、無線ＬＡＮ基地局帰属情報判定部２６０が無線電話端末通信部２４０を監視し、無線ＬＡＮ基地局帰属情報を受信したか（Ｓ２０９）、端末特定情報管理部２２０が端末特定情報を受信したか（Ｓ２１０）の各イベントを待つ。
【００３９】
無線電話端末通信部２４０は、無線電話端末４００から帰属要求があると（Ｓ２０１：ＹＥＳ）、該無線電話端末４００との帰属処理を行なう（Ｓ２０２）。無線ＬＡＮ着信通知機能保有通知部２７０は、無線電話端末通信部２４０に無線ＬＡＮ着信通知機能保有通知の送信を指示し、指示を受けた無線電話端末通信部２４０はこれを送信して（Ｓ２０３）、ステップ２０１に戻る。また、無線ＬＡＮ着信通知機能保有通知は、無線電話基地局２００から定期的に送信されるビーコン含めて送信するようにしてもよい。
【００４０】
無線電話端末通信部２４０は、自無線電話基地局宛の発着信を検出すると（Ｓ２０４：ＹＥＳ）、無線電話網７００との発着信処理を行ない（Ｓ２０５）、通話を開始して、ステップ２０１に戻る。
【００４１】
帰属する無線電話端末４００宛のＡＲＰリクエストを検出すると（Ｓ２０６：ＹＥＳ）、無線電話端末通信部２４０は、ＡＲＰリクエストに含まれる呼び出す端末の情報（ＭＡＣアドレスまたはＩＰアドレス）を抽出して、抽出した呼び出す端末の情報が端末特定情報テーブルに存在し、かつ帰属フラグが帰属解除されているか判定する（Ｓ２０７）。抽出した呼び出す端末の情報が端末特定情報テーブルに存在し、かつ帰属フラグが帰属解除されている場合（Ｓ２０７：ＹＥＳ）、無線ＬＡＮ着信通知を生成し、これを送信して（Ｓ２０８）、ステップ２０１に戻る。なお、ここで生成される無線ＬＡＮ着信通知には、前記ＡＲＰリクエストの情報も含まれる。ステップ２０７でＮＯのとき、そのままステップ２０１に戻る。
【００４２】
無線ＬＡＮ基地局帰属情報を受信したとき（Ｓ２０９：ＹＥＳ）、無線ＬＡＮ基地局帰属情報から端末特定情報テーブルを更新して（Ｓ２１１）、ステップ２０１に戻る。具体的には図４のステップ１１９の無線ＬＡＮ基地局帰属情報（帰属設定）ならば、端末特定情報テーブルの帰属フラグを設定する。また、図４のステップ１１２の無線ＬＡＮ基地局帰属情報（帰属解除）ならば当該端末の帰属フラグを解除する。
【００４３】
端末特定情報を受信したとき（Ｓ２１１：ＹＥＳ）、端末特定情報テーブルに当該端末のレコードが存在するか判断する（Ｓ２１２）。端末特定情報テーブルに存在していないならば（Ｓ２１２：ＮＯ）、端末特定情報テーブルに新たに当該端末のレコードを追加して（Ｓ２１３）、ステップ２０１に戻る。存在するならば（Ｓ２１２：ＹＥＳ）、ステップ２０１に戻る。
【００４４】
表１  端末特定情報テーブル
−−−−−−−−−−−−−−−−−−−−−−−−−−−−−−−−−−−−
無線電話端末                 無 線 Ｌ Ａ Ｎ 端 末
＃      電話番号    ＭＡＣアドレス ＩＰアドレス ＬＡＮ基地局 帰属フラグ
−−−−−−−−−−−−−−−−−−−−−−−−−−−−−−−−−−−−
１   090-1234-aabb    aa:bb:cc:dd:ee    xxx.yyy.z.0            １
２   090-1234-aacc    aa:bb:cc:dd:gg    xxx.yyy.z.1            ０
３   090-1234-ccbb           -               -                 ０
−−−−−−−−−−−−−−−−−−−−−−−−−−−−−−−−−−−−
表１を参照して、端末特定情報を説明する。ここで、表１は端末特定情報管理部２２０の端末特定情報テーブルである。端末特定情報テーブルは、無線電話端末４００毎の、無線電話端末としての電話番号、無線ＬＡＮ端末としてのＭＡＣアドレスとＩＰアドレスと帰属フラグとから構成される。
【００４５】
端末特定情報テーブルは無線電話端末４００が無線電話基地局に帰属すると、端末特定情報通知部４４０によって無線電話基地局２００に通知され、端末特定情報管理部２２０によって端末毎にレコードが記憶される。
【００４６】
帰属フラグが「１」とは帰属フラグが設定されていることを意味し、「０」は帰属フラグが解除されていることを意味する。また、端末特定情報テーブルは、図示しないがレコードを追加するごとに追加した履歴を記憶しており、一定期間（ここでは一ヶ月）が経過すると当該レコードを削除する。
【００４７】
図６を参照して、無線ＬＡＮ着信通知から通話まで処理手順を説明する。ここで、図６は相手電話端末９００、無線電話基地局２００、無線ＬＡＮ基地局３００、無線電話端末４００間のシーケンス図である。
【００４８】
図６において、相手電話端末９００は、発信操作をされるとＡＲＰリクエストをブロードキャスト送信し、無線電話基地局２００と無線ＬＡＮ基地局３００で受信する（Ｓ３０１）。なお、無線ＬＡＮ基地局３００は、配下の無線電話端末４００にブロードキャストするが、図示した無線電話端末４００は、無線ＬＡＮ基地局通信部４７０を停止しているので、受信できない。
【００４９】
無線電話基地局２００は、無線ＬＡＮ着信通知を解析し、端末特定情報テーブルを検索し、端末特定情報テーブルに当該呼び出し端末が存在すると、ＡＲＰリクエストの宛先が帰属する無線電話端末４００宛であり、無線ＬＡＮ着信通知を生成する（Ｓ３０２）。無線電話基地局２００は、生成した無線ＬＡＮ着信通知を無線電話端末４００に送信する（Ｓ３０３）。
【００５０】
無線電話端末４００は、無線ＬＡＮ着信通知を受信すると、無線ＬＡＮ基地局通信部４７０を起動する（Ｓ３０４）。無線電話端末４００は、無線ＬＡＮ基地局３００に帰属できたことを無線電話基地局２００に無線ＬＡＮ基地局帰属情報（帰属設定）を送信する（Ｓ３０５）。無線電話基地局２００は、端末特定テーブルを検索し、無線電話端末４００の帰属フラグを立てて更新する（Ｓ３０６）。
【００５１】
ステップ３０１のＡＲＰリクエストについて、無線電話端末４００は、応答していない。そのため、相手電話端末９００は、ＡＲＰリクエストを再送する（Ｓ３０７）。無線電話端末４００は、今度は、無線ＬＡＮ基地局通信部４７０が起動しているので、無線電話端末４００は、ＡＲＰリクエストを受信する。なお、無線電話基地局２００は、当該ＡＲＰリクエストを受信し、端末特定情報テーブルを検索する（Ｓ３０８）。しかし、無線電話端末４００の帰属フラグが立っているので、無線電話基地局２００は、何もしない。
【００５２】
無線電話端末４００は、無線ＬＡＮ基地局３００を介してＡＲＰレスポンスを相手電話端末９００に送信する（Ｓ３０９）。相手電話端末９００は、無線電話端末４００からＡＲＰレスポンスを受信したので、着信情報を無線ＬＡＮ基地局３００を介して、無線電話端末４００に送信する（Ｓ３１０）。
【００５３】
無線電話端末４００は、鳴動し、キー操作により応答情報を無線ＬＡＮ基地局３００を介して、相手電話端末９００に送信する（Ｓ３１１）。以上の手順より、相手電話端末９００と無線電話端末４００は、通話状態となる。
【００５４】
上述した実施例に拠れば、無線電話端末４００が無線電話基地局２００との第１の通信部と無線ＬＡＮとの第２の通信部の両方を保持する無線電話端末に、状況に応じて第２の通信部を起動／停止させることができる、無線電話端末４００および無線電話基地局２００を提供する。
【００５５】
なお、本実施例では、ＡＲＰレスポンスを無線電話端末４００から送信され、ＡＲＰレスポンスが送信されない場合は、呼接続を行わないことについて説明したが、本願はこれに限定されない。例えば、本発明の無線電話基地局２００に、疑似的にＡＲＰレスポンスを生成・応答する疑似ＡＲＰレスポンス応答機能と、ＡＲＰレスポンスの送信後にＩＰ電話網６００から送信される呼接続情報を受信し、当該呼接続情報から相手電話番号を抽出する相手電話番号抽出機能、抽出した相手電話番号を無線電話基地局２００経由で、無線電話端末４００に送信する機能を追加し、無線電話端末４００に相手電話番号を受信すると、これを表示する相手電話番号表示機能を追加してもよい。これにより、無線電話基地局２００は、無線電話端末４００に無線ＬＡＮ基地局３００経由で着信があった旨を通知することが出来、さらに無線電話端末４００は場合によって、無線電話基地局２００を介して、無線電話網７００経由で当該電話番号に発信することができる。
【００５６】
また、さらに疑似ＡＲＰレスポンス応答機能によってＡＲＰレスポンスの送信後、相手電話端末からＩＰ電話網６００を介して送信される着信に係る呼制御データを無線電話基地局２００経由の呼制御データに相互変換する呼制御データ相互変換機能と、呼制御データ変換機能によって呼接続を完了すると、相手電話端末と当該無線電話端末４００とで送受される音声データを無線電話基地局２００経由の音声データに相互変換する音声データ変換機能を追加してもよい。これにより、無線ＬＡＮ基地局３００経由の発着信に対して無線電話基地局２００経由で通話することができる。
【図面の簡単な説明】
【００５７】
【図１】無線電話ネットワークのブロック図である。
【図２】無線電話端末の機能ブロック図である。
【図３】無線基地局の機能ブロック図である。
【図４Ａ】無線電話端末のフローチャートである。
【図４Ｂ】無線電話端末のフローチャートである。
【図５】無線電話基地局のフローチャートである。
【図６】電話端末、無線電話基地局、無線ＬＡＮ基地局、無線電話端末間のシーケンス図である。
【符号の説明】
【００５８】
１００…ＩＰ網、２００…無線電話基地局、２１０…ＶｏＩＰ網接続部、２２０…端末特定情報管理部、２３０…無線ＬＡＮ着信監視部、２４０…無線電話端末通信部、２５０…無線ＬＡＮ着信通知部、２６０…無線ＬＡＮ基地局帰属情報判定部、２７０…無線ＬＡＮ着信通知機能保有通知部、３００…無線ＬＡＮ基地局、４００…無線電話端末、４１０…無線ＬＡＮ着信通知監視部、４２０…無線ＬＡＮ着信通知可否判定部、４３０…無線ＬＡＮ起動停止部、４４０…端末特定情報通知部、４５０…無線ＬＡＮ基地局帰属情報通知部、４６０…無線電話基地局通信部、４７０…無線ＬＡＮ基地局通信部、５００…ゲートウェイ装置（ＧＷ）、６００…ＩＰ電話網、７００…無線電話網、８００…無線電話ネットワーク、９００…相手電話端末。
【図１】
2010114754.tif 000003
【図２】
2010114754.tif 000004
【図３】
2010114754.tif 000005
【図４Ａ】
2010114754.tif 000006
【図４Ｂ】
2010114754.tif 000007
【図５】
2010114754.tif 000008
【図６】
2010114754.tif 000009